(57)【要約】【課題】回動時の吐出管の本体への接触に伴う外観品質の低下を抑制した水処理装置を提供する。【解決手段】この課題を解決するために、水処理装置は、外部から供給された水を浄化処理する本体１と、前記本体１で浄化した水を外部に吐出する吐出管３０と、前記吐出管３０と前記本体１を接続する接続部１３と、を備え、前記本体１が、外殻を形成するケースと、前記ケース内に設けられ前記浄化処理を行う浄水部６と、前記ケースに設けられ前記浄水部６で浄化した水を前記接続部１３に流出する流出部１０と、を有し、前記流出部１０が円形状の流出口１２を備え、前記接続部１３が、前記流出口１２と前記吐出管３０を接続する接続部材１４と、前記流出口１２と同心円上に前記吐出管３０を前記本体１に対して回動させる回動部と、前記回動部による前記吐出管３０の回動範囲Ｔ１を規定する規定部と、を備えたものとした。【選択図】図１
2012143682.tif 000002
【特許請求の範囲】
【請求項１】
外部から供給された水を浄化処理する本体と、前記本体で浄化した水を外部に吐出する吐出管と、前記吐出管と前記本体を接続する接続部と、を備え、
前記本体が、外殻を形成するケースと、前記ケース内に設けられ前記浄化処理を行う浄水部と、前記ケースに設けられ前記浄水部で浄化した水を前記接続部に流出する流出部と、を有し、
前記流出部が円形状の流出口を備え、
前記接続部が、前記流出口と前記吐出管を接続する接続部材と、前記流出口と同心円上に前記吐出管を前記本体に対して回動させる回動部と、前記回動部による前記吐出管の回動範囲を規定する規定部と、を備えたものであることを特徴とする水処理装置。
【請求項２】
前記規定部が、前記回動部の回動中心と同心の仮想円上に位置する板状部材と、前記板状部材と前記仮想円上で並ぶリブと、を有し、
前記板状部材を前記接続部材と前記本体の一方に設け、前記リブを前記接続部材と前記本体の他方に設けたものであることを特徴とする請求項１に記載の水処理装置。
【請求項３】
前記ケースが前記回動部の回動軸方向に対して傾いた傾斜面を有し、該傾斜面に前記流出部を設けたものであることを特徴とする請求項１または請求項２に記載の水処理装置。
【発明の詳細な説明】
【技術分野】
【０００１】
本発明は、水道水等の原水を浄化処理して浄水を生成する水処理装置に関するものである。
【背景技術】
【０００２】
従来から、水を浄化処理する浄水部を本体内部に備えた水処理装置がある（例えば、特許文献１等参照）。このものでは、本体に、浄化処理した水（浄水）を外部に流出させる流出口を有すると共に、該流出口に吐出管の一端が接続されて、流出口と管内が連通されている。そして、吐出管は流出口を回転中心として回動すると共に、他端に吐出口を備えており、該吐出口から浄水を外部に吐出している。そのため、水処理装置の利用時（取水時）には、利用者によって吐出管が本体に対して回動されて、吐出口を利用者の手元等の所望の位置に動かされるものとなっている。
【先行技術文献】
【特許文献】
【０００３】
【特許文献１】特開２００４−２３２４１３号公報
【発明の概要】
【発明が解決しようとする課題】
【０００４】
しかしながら、特許文献１等の従来のものでは、吐出管の回動時に、本体の外殻であるケースに、吐出管を接触させることで、吐出管の回動範囲を規制している。そのため、吐出管と本体の接触の繰り返しに伴う経年劣化等で、本体や吐出管の塗装の剥離等を生じて、水処理装置の外観品質を低下させる恐れがある。
【０００５】
そこで、この事情を鑑み、吐出管を本体外殻に接触させずに回動範囲を規定して、回動時の接触に伴う外観品質の低下を抑制した水処理装置を提供することを課題とした。
【課題を解決するための手段】
【０００６】
上記課題を解決するために、本発明の水処理装置は、外部から供給された水を浄化処理する本体と、前記本体で浄化した水を外部に吐出する吐出管と、前記吐出管と前記本体を接続する接続部と、を備え、前記本体が、外殻を形成するケースと、前記ケース内に設けられ前記浄化処理を行う浄水部と、前記ケースに設けられ前記浄水部で浄化した水を前記接続部に流出する流出部と、を有し、前記流出部が円形状の流出口を備え、前記接続部が、前記流出口と前記吐出管を接続する接続部材と、前記流出口と同心円上に前記吐出管を前記本体に対して回動させる回動部と、前記回動部による前記吐出管の回動範囲を規定する規定部と、を備えたものであることを特徴とする。
【０００７】
この水処理装置として、前記規定部が、前記回動部の回動中心と同心の仮想円上に位置する板状部材と、前記板状部材と前記仮想円上で並ぶリブと、を有し、前記板状部材を前記接続部材と前記本体の一方に設け、前記リブを前記接続部材と前記本体の他方に設けたものであることが好ましい。
【０００８】
この水処理装置として、前記ケースが前記回動部の回動軸方向に対して傾いた傾斜面を有し、該傾斜面に前記流出部を設けたものであることが好ましい。
【発明の効果】
【０００９】
このような構成としたことで、吐出管を本体外殻に接触させて回動範囲を規定するものに比べて、回動範囲の規定に伴う外観品質の低下を抑制することができる。
【図面の簡単な説明】
【００１０】
【図１】実施形態の一例の水処理装置の接続部材を分離させた接続部周辺の斜視図である。
【図２】全体斜視図である。
【図３】本体前面側を切り欠いた正面図である。
【図４】接続部材の説明図であって、（ａ）が正面図であり、（ｂ）が図４（ａ）のＢ−Ｂ断面図であり、（ｃ）が第１円筒部側から視た斜視図である。
【図５】図２のＡ−Ａ断面図である。
【図６】吐出管の回動動作の説明図である。
【図７】規定部の変形例であって、図２のＡ−Ａ断面図である。
【発明を実施するための形態】
【００１１】
以下、図面に基づいて本発明の実施形態を例示して説明する。
【００１２】
実施形態の一例の水処理装置は、図１乃至図２に示すように、外部から供給された水を浄化処理する本体１と、本体１で浄化した水をシンク等の外部に吐出する吐出管３０と、吐出管３０を本体１に対して回動自在に接続する接続部１３と、を備えている。
【００１３】
吐出管３０は、螺旋管等の屈曲自在なホース状の円管部材３１で主体が構成されている。そして、円管部材３１は第１端部３２が接続部１３を介して本体１に接続されており、第２端部が、浄化した水（浄水）を外部に吐出する吐出口３３となっている。そのため、利用者は水処置装置で処理した水を吐出口３３から取水している。
【００１４】
また、本体１は、図２に示すように、平面視楕円の円筒形状の外殻を有しており、円筒の第１端部には、流し台等の載置対象に当接して本体１を設置対象に載置するための脚部を備えている。そして、円筒の第２端部には本体１の円筒の軸方向に対して傾いた傾斜面２を備えている。該傾斜面２は、楕円の短い側の直径方向（楕円の短軸方向）に沿って、短軸の一端から他端側に向かう程、円筒の第１端部に近づく向きに傾いている。
【００１５】
以下の説明において、円筒の軸心に沿った向きを上下方向Ｖとし、該上下方向Ｖの本体１の第１端部側を下方とし、第２端部側を上方として、本体１の第１端部を下端とし、第２端部を上端とする。そして、上端の傾斜面２のうち、下端に近い側（傾斜面２の低い側）を前方とし、反対側（高い側）を後方とし、長い側の直径方向（楕円の長軸Ｌ方向）を側方とする。
【００１６】
また、本体１はケースによって外殻が形成されている。該ケースは、円筒周面の前方側の略半周を形成する前面ケースと、周面の後方の略半周を形成する背面ケースと、下端を形成する下部ケースと、上端を形成する上面ケース３と、で構成されている。そして、下部ケースと上面ケース３は前面ケースに固定されており、背面ケースは前面ケースに脱着自在で取り付けられている。
【００１７】
更に、本体１は、図３に示すように、外部から供給された原水を処理すると共に処理した水を流出する水処理部と、利用者に操作される操作部４と、水処理部を制御する制御部と、操作部４の操作結果や水処理部の動作状況を表示する表示部５と、を備えている。そして、操作部４は上面ケース３の長軸Ｌより前方側に設けられており、表示部５は上面ケース３の操作部４と長軸Ｌの間に設けられている。
【００１８】
水処理部は、外部から原水が流入される給水部と、原水を浄化処理する浄水部６と、浄水部６で処理した水を電解処理する電解部７と、電解部７で処理した水を外部に流出する流出部１０及び排出部と、を備えている。
【００１９】
給水部は筒状の給水ホース８で主体が構成されており、給水ホース８は一端が本体１内部で浄水部６に接続されており、他端側が下部ケースの側方から外部に突出すると共に、他端が外部の給水源に接続されている。そして、給水ホース８は給水源から原水が流入されることで、該原水を浄水部６に供給している。
【００２０】
浄水部６は原水を濾過して浄化処理しており、濾過用の浄水カートリッジを内部に備えており、浄水カートリッジは、活性炭と、中空糸膜モジュールと、を濾過材として有している。そして、浄化部は濾過材内に原水を流通させることで、原水を濾過して浄化処理を行い、浄水（浄化された水）を生成している。更に、浄水部６は生成した浄水を電解部７に供給している。
【００２１】
なお、浄水カートリッジは活性炭と中空糸膜モジュールの一方を備えたものであってもよく、濾過材は原水を濾過して浄化処理可能なものであれば、活性炭や中空糸膜モジュールに限らない。
【００２２】
電解部７は、浄水が流入される電解槽と、電解槽内に配置され対をなす極性に帯電する二枚の電極板と、電解槽と流出部１０を連通させる第１連通部と、電解部７と排出部を連通させる第２連通部と、を備えている。電解部７は、帯電した一対の電極板によって、電解槽内の浄水から、アルカリ性イオン水と、酸性イオン水と生成している。
【００２３】
そして、電解部７は、第１連通部から一方のイオン水（例えば、アルカリ性イオン水）を流出部１０に流入し、第２連通部から他方のイオン水（例えば、酸性イオン水）を排出部に流入している。なお、流出部１０と排出部に流入されるイオン水は、相互に切換自在であってもよい。
【００２４】
排出部は排水ホース９で主体が構成されており、排水ホース９は一端が本体１内部で第２連通部に接続されており、他端側が下部ケースの側方から突出すると共に、他端から外部の排水口やシンク等にイオン水を排出している。
【００２５】
流出部１０は上下方向Ｖに軸心を有した円筒状の筒部１１で主体が構成されており、筒部１１は楕円の中心より長軸Ｌの一端側に偏って位置している。そして、筒部１１は第１端部が第１連通部に接続され、第２端部が上面ケース３を介して上方に開口しており、該開口が、イオン水を本体１外に流出させる流出口１２となっている。更に、該流出部１０は、第２端部が接続部１３を介して吐出管３０の第１端部３２に接続されている。
【００２６】
接続部１３は、図１に示すように、Ｌ字状の屈曲した円筒状の接続部材１４と、接続部材１４を本体１に回転自在で支持する回動部と、回動部の回転範囲を規定する規定部と、を備えている。該接続部材１４は、図４に示すように、筒部１１と略同心で軸心を有しＬ字の一辺側である第１円筒部１５と、第１円筒部１５の軸心に略直交して軸心を有しＬ字の他の一辺側である第２円筒部１７と、を備えている。
【００２７】
第１円筒部１５は軸心が第２円筒部１７の軸心と略直交している。そして、第１円筒部１５は端部１６が筒部１１より小径状となっており、端部１６を筒部１１内周側に配置して、接続部材１４と流出部１０が接続されている。更に、第２円筒部１７は端部１８が吐出管３０の第１端部３２より大径となっており、端部１８の内周側に吐出管３０の第１端部３２を配置して、接続部材１４と吐出管３０が接続されている。
【００２８】
なお、図５に示すように、第１円筒部１５の端部１６の外周面と筒部１１の内周面の間と、第２円筒部１７の端部１８の内周面と吐出管３０の第１端部３２の外周面の間には、夫々Ｏリング等のシール部材１９が配置されて、シールされている。そして、第１円筒部１５は流出部１０より上方側の外周面に、抜け止めリング２０を備えており、該抜け止めリング２０は上面ケース３の内面に接触して、接続部材１４の本体１からの抜け止めを行っている。
【００２９】
以下、楕円の長軸Ｌの端部のうち、筒部１１に近い側を長軸第１端とし、遠い側を長軸第２端とする。そして、接続部材１４において、図２に示すように、第２円筒部１７が第１円筒部１５より前方側に位置すると共に、第２円筒部１７の軸心を短軸と平行に配置した状態を、接続部材１４の正面位置とする。
【００３０】
また、接続部１３は第１円筒部１５の外周側に回動部及び規定部を有しており、回動部が接続部材１４を本体１に対して回転自在でケースに支持し、規定部が回動部による接続部材１４の回転の許容範囲（回転角度）を規定している。そのため、図６に示すように、回動部による接続部材１４の回転に伴って、吐出管３０が本体１に対して回動すると共に、規定部による接続部材１４の回転角度の制限に伴って、吐出管３０の回動範囲Ｔ１が規定されている。
【００３１】
詳しくは、回動部が、上面ケース３から突出した円筒状の基台部２１と、接続部材１４に設けられ基台部２１の上端に当接される円筒状の支持部２２と、支持部２２の内周に位置して回動をガイドする円筒状のガイド部２３と、を備えている。
【００３２】
基台部２１と支持部２２は略同径で且つ同心の円筒状となっており、基台部２１が上端に環状の凹部を有し、支持部２２が下端に環状の凸部を有しており、該凹部に凸部を嵌め込まれると共に、基台部２１の上端に支持部２２の下端が当接されている。そして、支持部２２は基台部２１に対して当接面を摺り動かしながら、第１円筒部１５の軸心を中心に回転自在となっており、該回転時には第１円筒部１５が支持部２２と一体で回転する。
【００３３】
ガイド部２３は基台部２１より小径で且つ流出部１０と略同径の円筒状となっており、基台部２１及び流出口１２と略同心で上面ケース３から上方に突出して設けられている。そして、ガイド部２３は内周面が第１円筒部１５の外周面に流出部１０より上方で当接されており、回動時や取水の圧力変化時や吐出管３０の屈曲時等に、第１円筒部１５の軸心が上下方向Ｖからずれる（傾く）ことを抑制している。
【００３４】
このように、回動部は、接続部材１４を第１円筒部１５の軸心の軸周りに回転させており、図６に示すように、接続部材１４の回転に伴って、第２円筒部１７に接続された吐出管３０が本体１に対して流出口１２と同心円で回動する。以下、吐出管３０の回動において、接続部材１４の正面位置を基準に、正面位置から長軸第１端側へ向かう回動方向を時計回りとし、正面位置から長軸第２端側へ向かう回動方向を反時計回りとする。
【００３５】
規定部は、図５に示すように、上方に突出してガイド部２３の上端に設けられた円弧状の板状部材２４と、第１円筒部１５と支持部２２の間に設けられ板状部材２４と円弧の周方向に並ぶリブ２５と、で構成されている。
【００３６】
板状部材２４は、図１に示すように、ガイド部２３の円周のうち、後方側の半周上の一部に設けられており、ガイド部２３と略同心の円弧形状となっている。そして、板状部材２４は外径がガイド部２３の外径と略同寸となっており、互いの外周面が上下方向Ｖに略面一で並んでいる。更に、板状部材２４は内径がガイド部２３より大径となっており、接続部材１４の回転時に、板状部材２４の内周面が第２円筒部１７に接触しない構成となっている。
【００３７】
リブ２５は、図４に示すように、第１円筒部１５の外周面と支持部２２の内周面の間に設けられると共に、第１円筒部１５の外周面から第１円筒部１５の径方向に沿って第２円筒部１７側に突出している。そして、リブ２５は、正面位置を基準に、長軸Ｌと略平行に並ぶ位置で板状部材２４に当接されるものとなっている。
【００３８】
また、リブ２５の突出方向は、接続部材１４を正面位置に配置した際に、第２円筒部１７の軸心から長軸第２端側にずれて位置している。そのため、規定部は、図６に示すように、正面位置を基準に、時計回りの回動における許容範囲Ｔ２（回動角度）が、反時計回りの回動における許容範囲Ｔ３（回動角度）に比べて、リブ２５をずらした分だけ広く（大きく）なっている。
【００３９】
そして、各許容範囲Ｔ２，Ｔ３の後端であるリブ２５が板状部材２４に接触する回動範囲Ｔ１の両端において、夫々第１円筒部１５が操作部４や表示部５より後方に位置するものとなっている。
【００４０】
このように、接続部１３に規定部を備えたことで、吐出管３０を本体１外面に接触させなくても回動範囲Ｔ１を規定することができて、吐出管３０を本体１に接触させて回動を停止させるものに比べて、本体１の劣化を抑えることができる。そのため、吐出管３０と本体１の接触に伴う外観品質の低下を抑制することができる。
【００４１】
更に、利用者等が不意に吐出管３０と接触する等で吐出管３０が予期せず回動した際にも、規定部が回動を停止させるため、吐出管３０を本体１に接触させて回動を停止するものと違い、吐出管３０が本体１に衝突し難くすることができる。
【００４２】
また、規定部を板状部材２４とリブ２５で構成したことで、板状部材２４の円弧の中心角やリブ２５の位置を変更することで、吐出管３０の回動範囲Ｔ１を容易に変更することができる。そして、接続部１３が規定部を備えるため、接続部材１４等の接続部１３の構成部材を交換することで、容易に規定部による回動範囲Ｔ１を調整することができる。
【００４３】
更に、接続部１３が回動部と規定部を備えるため、回動の繰り返し等に伴う回動部や規定部の経年劣化時等に、接続部１３の構成部材の交換等で、容易に経年劣化の解消等のメンテナンスを行うことができる。そして、回動部で規定部の外周を覆ったことで、板状部材２４とリブ２５の周方向の間等の規定部の隙間が外部に露出せずにすみ、該隙間への異物の浸入を抑制することができる。そのため、接続部１３の清掃を容易に行うことができると共に、異物の浸入や付着に伴う回動範囲（規定位置）の変動や規定部の破損等を生じ難くすることができる。
【００４４】
また、前方に向かって下がる傾斜面２を上面に備えると共に、操作部４及び表示部５を傾斜面２の前方側に設けたことで、水平面に操作部４等を設けたものに比べて、水処理装置の前方側に位置する利用者が操作部４や表示部５を視認し易いものとなっている。
【００４５】
そして、回動範囲Ｔ１の両端が操作部４及び表示部５より後方に位置するため、操作に慣れていない利用初期やメンテナンス時等に、吐出管３０や接続部１３を操作部４や表示部５の上方及び前方から退かせることができる。そのため、利用初期やメンテナンス時等に、吐出管３０や接続部１３が表示部５や操作部４を視認を妨げ難くなり、利用者が操作部４の操作や表示部５の表示内容の確認を容易に行うことができる。
【００４６】
また、図７に示すように、第１円筒部１５の内周面を筒部１１の外周面に当接して、流出部１０と接続部材１４を接続すると共に、規定部のリブ２５を上面ケース３に設け、板状部材２４を接続部材１４に設けてもよい。
【００４７】
なお、リブ２５と板状部材２４の構成を明確にするために、図７中ではリブ２５を正面位置（前方側）に設けているが、本例におけるリブ２５の実際の位置は円周の後方側の半周上となっている。そのため、規定部は、図５等に示した前述の例と略同様に、吐出管３０を図６に示すような回動範囲Ｔ１に規定して、回動時の吐出管３０と本体１の干渉を抑制している。
【００４８】
もちろん、接続部材１４にリブ２５を設け上面ケース３に板状部材２４を設けた規定部を、第１円筒部１５の内周面を筒部１１の外周面に当接して接続したものに、備えてもよい。更に、上面ケース３にリブ２５を設けて接続部材１４に板状部材２４を設けた規定部を、第１円筒部１５の外周面を筒部１１の内周面に当接して接続したものに、備えてもよい。
【００４９】
また、吐出管３０の第１端部３２をＬ字状に屈曲させて接続部材１４を兼ねる等の、吐出管３０と接続部材１４を一体に形成したものであってもよい。そして、吐出管３０は屈曲自在な管材で構成したものに限らず、第２円筒部１７の軸心に沿って真直ぐな管状（直管状）で吐出口３３を下方に向けて開口させたものであってもよい。
【００５０】
更に、規定部は、リブ２５を複数設けて、接続部材１４の回転方向によって異なるリブ２５が板状部材２４に接触して、回動範囲Ｔ１を規定するものであってもよい。
【００５１】
なお、水処理装置は、イオン水を吐出するものに限らず、浄水を吐出するものや、イオン水と浄水を選択的に吐出可能なもの等の、少なくとも浄化部での浄化処理後の水（浄水）を吐出可能なものであればよい。
【符号の説明】
【００５２】
１  本体
６  浄水部
１０  流出部
１２  流出口
１３  接続部
１４  接続部材
３０  吐出管
Ｔ１  回動範囲
【図１】
2012143682.tif 000003
【図２】
2012143682.tif 000004
【図３】
2012143682.tif 000005
【図４】
2012143682.tif 000006
【図５】
2012143682.tif 000007
【図６】
2012143682.tif 000008
【図７】
2012143682.tif 000009